(57)【要約】【課題】  超音波歯ブラシに使用している超音波素子は、その出力（厚さ方向の振幅）が非常に小さいものであり、超音波素子をブラシ頭体のブラシ植設部に対応する位置に取付けているものでは、ブラシに対して微小な振動しか与えることができない。【解決手段】  ブラシ本体１の装着台２を超音波素子１５により超音波振動させることで装着台２に装着しているブラシ頭体３を共振させるようにした超音波歯ブラシにおいて、装着台２は、基部２１の先側に所定長さだけ細棒状に突出する突出部２２を設け、ブラシ頭体３を装着台２に装着した状態ではブラシ植設部３２が突出部２２の先端部２２ａに位置するようにしているとともに、超音波素子１５を装着台基部２１に取付けていることにより、超音波素子１５の取付け位置とブラシ植設部３２間の距離を大きくでき、それによってブラシ植設部３２に対して大きな振幅の超音波振動を起こさせるようにした。【選択図】  図１
2006320551.tif 000002
【特許請求の範囲】
【請求項１】
ブラシ植設部（３２）を有するブラシ頭体（３）をブラシ本体（１）の先部に設けた装着台（２）に着脱自在に装着する一方、前記装着台（２）を超音波素子（１５）により超音波振動させることで装着台（２）に装着しているブラシ頭体（３）を共振させるようにした超音波歯ブラシであって、
前記装着台（２）は、基部（２１）の先側に所定長さだけ細棒状に突出する突出部（２２）を設けたものを使用し、
前記ブラシ頭体（３）を前記装着台（２）に装着した状態では前記ブラシ植設部（３２）が前記突出部（２２）の先端部（２２ａ）に位置するようにしているとともに、
前記超音波素子（１５）を前記装着台（２）の前記基部（２１）に取付けている、
ことを特徴とする超音波歯ブラシ。
【発明の詳細な説明】
【技術分野】
【０００１】
本願発明は、ブラシ植設部を超音波素子で超音波振動させ得るようにした超音波歯ブラシに関するものである。
【背景技術】
【０００２】
近年、超音波素子でブラシ部分を超音波振動させるようにした超音波歯ブラシが多数出回っているが、この種の超音波歯ブラシは、ブラシ部分を超音波振動させることにより歯垢等を効率よく除去し得るという機能を有している。
【０００３】
この種の超音波歯ブラシとして、例えば図４に示すものがある。尚、この図４に示す超音波歯ブラシは、特開２００４−５７５３４号公報（特許文献１）に記載されたものである。
【０００４】
図４に示す公知（特許文献１）の超音波歯ブラシは、ブラシ本体１の先部に前方に突出する装着台２を設け、該装着台２にブラシ頭体３を装着し得るようになっている。尚、ブラシ頭体３は、鎖線図示（符号３′）するように装着台２から取り外して、別のブラシ頭体を装着台２に付け替えることができるようになっている。
【０００５】
ブラシ本体１は、柄部となるケース体１１内に電池１２と超音波発生器１３とを収容している一方、装着台２の先端部に超音波素子１５を埋め込んでいる。超音波発生器１３と超音波素子１５とは導線１６で接続されており、超音波発生器１３からの電圧によって超音波素子１５を超音波振動させ得るようになっている。
【０００６】
ブラシ頭体３は、装着台２とほぼ同長さを有する筒状部３１の先端部にブラシ３３を植設したブラシ植設部３２を設けている。筒状部３１内部には、装着台２を密嵌状態で差込み得る中空部３１ａを有しており、ブラシ頭体３を装着台２に装着した状態では、筒状部３１内面が装着台２外面に対して全周及び全長に亘って密着するようになっている。
【０００７】
そして、図４の超音波歯ブラシは、ブラシ頭体３を装着台２に装着した状態で、超音波素子１５に通電すると、該超音波素子１５がその厚さ方向に超音波振動を起こし、装着台２の先端寄り部分を介してブラシ頭体３のブラシ植設部３２（ブラシ３３）が共振するようになっている。
【０００８】
【特許文献１】特開２００４−５７５３４号公報
【発明の開示】
【発明が解決しようとする課題】
【０００９】
ところで、この種の超音波歯ブラシに使用している超音波素子１５は、その出力（厚さ方向の振幅）は非常に小さいものである。そして、図４の超音波歯ブラシのように、超音波素子１５をブラシ頭体３のブラシ植設部３２に対応する位置に取付けているものでは、ブラシ３３に対して超音波素子１５からの超音波振動が比較的効率よく伝播するものの、超音波素子１５自体の振幅が非常に小さいので、ブラシ３３に対して微小な振動（振幅）しか与えることができない。即ち、超音波素子１５とブラシ植設部３２とが歯ブラシ長手方向の同位置にあるものでは、ブラシ植設部３２（ブラシ３３）が超音波素子１５の振幅と同じ非常に小さい幅しか振動しない。
【００１０】
従って、従来（例えば図４）の超音波歯ブラシでは、ブラシ３３が超音波振動されるもののブラシの振動幅が非常に小さいので歯磨き効果が乏しいものであった。
【００１１】
そこで、本願発明は、超音波素子として同出力（同振幅）のものを使用したものであっても、ブラシ部分に従来より大きな振幅の超音波振動を与え得るようにした超音波歯ブラシを提供することを目的としている。
【課題を解決するための手段】
【００１２】
本願発明は、上記課題を解決するための手段として次の構成を有している。尚、本願発明は、ブラシ部分を超音波振動させるようにした超音波歯ブラシを対象にしている。
【００１３】
本願発明の超音波歯ブラシは、ブラシ植設部を有するブラシ頭体をブラシ本体の先部に設けた装着台に着脱自在に装着する一方、装着台を超音波素子により超音波振動させることで装着台に装着しているブラシ頭体を共振させるようにしたものである。
【００１４】
装着台は、合成樹脂製（例えばポリカーボネート製）で、基部の先側に所定長さだけ細棒状に突出する突出部を設けたものを使用している。
【００１５】
ブラシ頭体は、装着台の突出部に外嵌合される筒状部の先端部にブラシ植設部を有している。そして、このブラシ頭体は、その筒状部を装着台の突出部に外嵌合させることで装着台に装着できる。ブラシ頭体を装着台に装着した状態では、ブラシ植設部が突出部の先端部に位置している。尚、ブラシ頭体を装着台に装着した状態では、ブラシ頭体の筒状部内面が装着台外面に対して全周及び全長に亘って密着している。
【００１６】
超音波素子は、装着台の基部に取付けられている。従って、装着台における超音波素子取付位置と装着台先端部との間にはかなりの距離を有している。尚、この超音波素子は、ブラシ本体内に設けた超音波発生器からの電圧で励振される。
【００１７】
本願発明の超音波歯ブラシは、ブラシ頭体を装着台に装着した状態で超音波素子に通電すると、該超音波素子が励振されて装着台が超音波振動を起こすとともに、その超音波振動でブラシ頭体を共振させるようになる。
【００１８】
ところで、本願発明の超音波歯ブラシでは、超音波素子が装着台の基部に取付けられているので、超音波素子が励振されたときに、装着台の基部は超音波素子の振幅と同振幅でしか超音波振動しないが、装着台の突出部の先端部では超音波振動の振幅が増幅されるようになる。即ち、装着台突出部の先端部は超音波素子の取付部（装着台基部）からかなり離間しているので、装着台基部が振動したときに若干ではあるが装着台突出部に撓みや角度変化が生じ、該突出部の先端部の振幅が増幅されるようになる。このように、装着台突出部の先端部の振幅が増幅されると、該突出部先端部に位置しているブラシ植設部に伝播される超音波振動の振幅も大きくなり、ブラシが増幅された振幅で超音波振動する。
【発明の効果】
【００１９】
本願発明の超音波歯ブラシでは、上記のように、超音波素子を装着台の基部に取付ける一方、ブラシ頭体のブラシ植設部が装着台突出部の先端部に位置するようにしている（即ち、超音波素子取付部とブラシ植設部の位置とが歯ブラシ長さ方向に離間している）ので、超音波素子自体の振幅が小さいものであっても、ブラシ植設部に対して超音波振動の振幅を増幅（出力増加）させて伝播させることができる。
【００２０】
従って、この種の超音波歯ブラシにおいて、ブラシ部に対する超音波振動の出力（振幅）が不足気味であったものを、出力アップ（振幅を増大）することができるという効果がある。
【００２１】
又、本願のように超音波素子を装着台の基部に取付けると、従来（例えば図４）のように超音波素子を装着台の先端部に取付けたものより、該超音波素子の取付けが簡単となるとともに、通電不良等の故障時にメンテナンスがし易くなるという効果もある。
【実施例】
【００２２】
図１〜図３を参照して本願実施例の超音波歯ブラシを説明すると、図１及び図２には第１実施例が示され、図３には第２実施例が示されている。
【００２３】
図１及び図２に示す第１実施例の超音波歯ブラシは、ブラシ本体１と該ブラシ本体１の装着台２に着脱自在に装着されるブラシ頭体３とで構成されている。
【００２４】
ブラシ本体１は、柄部となるケース体１１内に電池１２と超音波発生器１３とを収容している一方、ケース体１１の先端部に装着台２を固定状態で取付けている。
【００２５】
電池１２は、図示例では使い捨ての乾電池を使用しているが、充電可能な蓄電池を使用してもよい。又、他の実施例では、電池１２に替えて商業電源（ＡＣ１００Ｖ）を使用してもよい。
【００２６】
超音波発生器１３は、超音波素子１５に電圧を印加することによって該超音波素子１５を超音波振動させるためのものである。尚、この超音波発生器１３は、周波数固定のものでも周波数可変のものでもよい。
【００２７】
装着台２は、基部２１の先側にかなりの長さだけ細棒状に突出する突出部２２を設けたものである。この装着台２は、合成樹脂製（例えばポリカーボネート製）で、基部２１が板状で比較的大きな面積を有し、先側の突出部２２が比較的細棒状（例えば直径が３〜４mm）でかなりの長さ（例えば４〜５cm）を有している。尚、この装着台２は、全体（基部２１及び突出部２２）が中実のものを使用している。
【００２８】
ブラシ頭体３は、装着台２の突出部２２に外嵌合される筒状部３１の先端部にブラシ植設部３２を有している。ブラシ植設部３２にはブラシ３３が植設されている。筒状部３１内は中空部３１ａとなっており、該中空部３１ａを装着台２の突出部２２に外嵌合させることによって、ブラシ頭体３を装着台２の突出部２２に着脱自在に装着させ得るようになっている。
【００２９】
ブラシ頭体３を装着台２に装着した状態では、ブラシ植設部３２が装着台突出部２２の先端部２２ａに位置している。又、ブラシ頭体３を装着台２に装着した状態では、筒状部３１内面が装着台２外面に対して全周及び全長に亘って密着するようになっている。尚、ブラシ頭体３は、鎖線図示（符号３′）するように装着台２から取り外して、別のブラシ頭体を装着台２に付け替えることができるようになっている。
【００３０】
装着台２は、超音波素子１５で超音波振動せしめられるが、この超音波素子１５は装着台２の基部２１に取付けられている。従って、装着台２における超音波素子１５の取付位置と装着台突出部２２の先端部２２ａとの間にはかなりの距離（（例えば４〜５cm）を有している。
【００３１】
図１及び図２の第１実施例では、装着台２の基部２１の下面に超音波素子１５を横向き（水平向き）姿勢で取付けている。超音波素子１５と超音波発生器１３とは、スイッチ１４を介して導線１６，１６で接続されている。尚、超音波素子１５は、板状であって電圧が印加されたときにその厚さ方向に超音波振動するようになっている。従って、この第１実施例の超音波歯ブラシでは、超音波素子１５の振動時に装着台２を主として上下に振動させるようになっている。
【００３２】
この第１実施例の超音波歯ブラシは、ブラシ頭体３を装着台２に装着した状態で、超音波素子１５に通電すると、該超音波素子１５が励振されて（厚さ方向に超音波振動する）装着台２が超音波振動を起こすとともに、その超音波振動でブラシ頭体３を共振させるようになる。
【００３３】
ところで、超音波素子１５は装着台２の基部２１に取付けられているので、超音波素子１５が励振されたときに、装着台２の基部２１は超音波素子１５の振幅と同振幅でしか超音波振動しないが、装着台２の突出部２２の先端部２２ａでは超音波振動の振幅が増幅されるようになる。即ち、装着台２の突出部２２は細棒状であり、且つ装着台突出部２２の先端部２２ａは超音波素子１５の取付部（装着台基部２１）からかなり離間しているので、装着台基部２１が振動したときに若干ではあるが装着台突出部２２に撓みや角度変化が生じ、該突出部２２の先端部２２ａの振幅が増幅されるようになる。このように、装着台突出部２２の先端部２２ａの振幅が増幅されると、該突出部先端部２２に位置しているブラシ植設部３２に伝播される超音波振動の振幅も大きくなり、ブラシ３３が増幅された振幅で超音波振動する。
【００３４】
従って、超音波素子１５自体の振幅が小さいものであっても、ブラシ植設部３２に対して超音波振動の振幅を増幅させて伝播させることができ、ブラシ３３部分に対して出力（振幅）を増大させることができる。又、超音波素子１５を装着台２の基部２１に取付けたものでは、従来（例えば図４）のように超音波素子を装着台の先端部に取付けたものより、該超音波素子の取付けが簡単となるとともに、通電不良等の故障時にメンテナンスがし易くなる。
【００３５】
図３に示す第２実施例の超音波歯ブラシは、基本的には上記第１実施例のものと同じであるが、この第２実施例では、超音波素子１５を装着台２の基部２１における後端面に縦向き姿勢で取付けている。この第２実施例の超音波歯ブラシでは、装着台２として、円錐形状で比較的大きい体積を有する基部２１の先側にかなりの長さだけ細棒状に突出する突出部２２を設けたものを使用している。この場合、装着台基部２１の後端面は略円形でかなりの面積を確保することができ、その基部２１の後端面に円形の超音波素子１５を取付けている。又、この第２実施例では、装着台２の突出部２２は、円錐形状の基部２１の中心位置から前方に突出されていて、装着台基部２１と突出部２２とが同心状に一体成形されている。尚、ブラシ頭体３は、装着台２の突出部２２に着脱自在に外嵌合させるが、ブラシ頭体３を装着台２に装着した状態では、ブラシ頭体３のブラシ植設部３２が装着台突出部２２の先端部２２ａに位置している。
【００３６】
そして、この図３（第２実施例）の超音波歯ブラシでは、超音波素子１５に通電すると、該超音波素子１５が励振されて（厚さ方向に超音波振動する）装着台２が超音波振動するとともに、その超音波振動でブラシ頭体３を共振させるようになる。このとき、超音波素子１５自体は、主として前後（歯ブラシ長さ方向）に超音波振動するが、装着台２の突出部２２が細棒状であるので、突出部先端部２２ａに対して若干ではあるが撓み作用や角度変化作用が働き、該突出部先端部２２ａ（ブラシ植設部３２）を前後に振動させるとともに上下左右に振動させるようになる。即ち、装着台基部２１が主として前後に振動せしめられるものであっても、装着台２の突出部２２が細棒状であると、突出部先端部２２ａ（ブラシ植設部３２）に上下左右方向の振動も与えることができ、ブラシ３３が増幅された振幅で超音波振動するようになる。
【図面の簡単な説明】
【００３７】
【図１】本願第１実施例の超音波歯ブラシの縦断面図である。
【図２】図１のII−II断面図である。
【図３】本願第２実施例の超音波歯ブラシの縦断面図である。
【図４】公知の超音波歯ブラシの縦断面図である。
【符号の説明】
【００３８】
１はブラシ本体、２は装着台、３はブラシ頭体、１１はケース体、１２は電池、１３は超音波発生器、１５は超音波素子、２１は装着台の基部、２２は装着台の突出部、２２ａは先端部、３１はブラシ頭体の筒状部、３２はブラシ植設部、３３はブラシである。
【図１】
2006320551.tif 000003
【図２】
2006320551.tif 000004
【図３】
2006320551.tif 000005
【図４】
2006320551.tif 000006